(57)【要約】      （修正有）【課題】衣服の袖にアームを挿し込み易くするだけではなく、衣服の襟で隠されてスチームがかかりにくい首周りの箇所等に、スチームを確実に吹き付けることができ、またこの種の箇所に手作業でスチームを吹き付ける際に起こり易い火傷を防止でき、更には衣服の袖にスチームを満遍なく確実に吹き付けることができるようにする。【解決手段】左右一対のアーム１と、このアーム１の連結箇所である中央部２に設けているフック３とを備える。アーム１を、中央部２に設けている縦軸４を中心にして二つ折り状に折り畳み自在に形成する。またアーム１を、衣服５の肩部幅５ａを支持する部分１ａと、この部分１ａから下り傾斜状に連ねている袖支持部分１ｂとで形成する。また中央部２に、この中央部２を囲繞するよう起立状に形作る襟５ｃを、中央部２に押し付けて固定する襟押さえ７を設ける。【選択図】図１
2018015096.tif 000002
【特許請求の範囲】
【請求項１】
左右一対のアームと、このアームの連結箇所である中央部に設けられているフックとを備え、上記のアームが、上記の中央部に設けられている縦軸を中心にして二つ折り状に折り畳み自在に形成されている衣服用のハンガーであって、上記のアームが、衣服の肩部幅を支持する部分と、この部分から下り傾斜状に連ねられている袖支持部分とで形成され、また上記の中央部に、この中央部を囲繞するよう起立状に形作られる襟を、中央部に押し付けて固定する襟押さえが設けられていることを特徴とする衣服用のハンガー。
【請求項２】
請求項１記載の衣服用のハンガーであって、襟押さえが、左右一対の板バネで形成され、襟を中央部の前面に板バネの復元力で固定できるよう、垂下状に設けられていることを特徴とする衣服用のハンガー。
【請求項３】
請求項１又は２記載の衣服用のハンガーであって、アームを二つ折りしたとき、アームが突き当たるのを防止する凸状のストッパーが中央部に設けられていることを特徴とする衣服用のハンガー。
【発明の詳細な説明】
【技術分野】
【０００１】
本発明は、ハンガーに関し、更に詳しくは折畳み自在に形成され、クリーニング工場やアパレル業界等において、ワイシャツ等の衣服を仕上げる際に使用するハンガーに関するものである。
【背景技術】
【０００２】
従来、折畳み式のハンガーとしては、例えば特許文献１に記載されているものがある。
この従来品は、左右一対の棒状材の基端が蝶番で回動自在に連結され、蝶番の縦軸を中心に棒状材が水平面上で折畳み自在に形成されている。
【０００３】
従って、この従来品は、棒状材を折り畳むことができるから、これによれば、衣服の襟元から棒状材を挿し込み易い、という利点がある。
またこの従来品の場合は、二つ折りすることで長さを短くできるから、これによれば、携帯や保管が便利になる。
【０００４】
ところで、例えばクリーニング業者が、洗濯物としてのワイシャツ等の衣服を仕上げる場合、プレス装置で仕上げる前に、衣服をハンガーに吊るして自動霧吹き装置へ投入し、生地を予め湿らせて皴を除去し易くすることがある。
【０００５】
この種の作業の場合、従来品は棒状材を二つ折りできるだけであったから、従来品によると、例えば襟で隠されている首周りの箇所や、襟自体の裏側にスチームを十分かけることができず、その結果、この種の箇所に皴が残り易い、という問題点があった。
【０００６】
また従来、作業者が襟を手指で持ち上げて、手作業でこの種の箇所にスチームを吹き付ける場合は、過ってスチームが手指にかかり、火傷することがあった。
【０００７】
また従来品は、通常、棒状材が、衣服の肩部幅（衣服の肩の部分の幅）を支持できる長さに形成されているだけであった。
従って、従来品を使用して衣服を自動霧吹き装置に投入すると、衣服の袖が垂れた状態でスチームが吹き付けられたから、従来品によると、衣服の袖をスチームで満遍なく湿らせることができず、その結果、袖を綺麗に仕上げることができない、という問題点があった。
【先行技術文献】
【特許文献】
【０００８】
【特許文献１】特開平７−２５５５８４号公報
【発明の概要】
【発明が解決しようとする課題】
【０００９】
本発明は、このような従来技術の問題点に鑑み、提案されたものである。
従って、本発明の解決しようとする技術的課題は、クリーニング工場等で衣服の仕上げに使用するハンガーであって、衣服の袖にアームを挿し込み易くするだけではなく、衣服の襟で隠されてスチームがかかりにくい首周りの箇所等に、スチームを確実に吹き付けることができ、またこの種の箇所に手作業でスチームを吹き付ける際に起こり易い火傷を防止でき、更には衣服の袖にスチームを満遍なく確実に吹き付けることができるよう形成した衣服用のハンガーを提供することにある。
【課題を解決するための手段】
【００１０】
本発明は、上記の課題を解決するため、次のような技術的手段を採る。
即ち、本発明は、図１等に示されるように、左右一対のアーム１と、このアーム１の連結箇所である中央部２に設けられているフック３とを備え、上記のアーム１が、上記の中央部２に設けられている縦軸４を中心にして二つ折り状に折り畳み自在に形成されている衣服用のハンガーであって、上記のアーム１が、衣服５の肩部幅５ａを支持する部分１ａと、この部分１ａから下り傾斜状に連ねられている袖支持部分１ｂとで形成され、また上記の中央部２に、この中央部２を囲繞するよう起立状に形作られる襟５ｃを、中央部２に押し付けて固定する襟押さえ７が設けられていることを特徴とする（請求項１）。
【００１１】
本発明の場合、衣服を支持するアーム１の断面形状は任意であり、例えば丸棒状でも板状でも良い。またアーム１は、通常、金属材で形成されるのが好ましいが、その他、例えば耐熱性の樹脂材で形成されるのでも良い。
【００１２】
また本発明の場合、袖支持部分１ｂは、袖５ｂを身頃から離して側方に下り傾斜状に配置できる角度であれば、その傾斜角Ａ（図３参照）は任意である。但し、この傾斜角Ａは、ワイシャツ等の袖５ｂを無理なく支持できるよう、通常、袖５ｂの取付角度に合わせて選定されるのが良い。また袖支持部分１ｂは、通常、例えばワイシャツの長袖を支持できるよう、長く選定されるのが好ましい。
【００１３】
而して、本発明のハンガーは、図４等に示されるように、襟押さえ７が、左右一対の板バネで形成され、襟５ｃを中央部２の前面に板バネの復元力で固定できるよう、垂下状に設けられているのが好ましい（請求項２）。
【００１４】
なぜならこれによると、板バネと中央部２の前面との間に襟５ｃを挿し込むことで簡単且つ迅速に襟５ｃを押えることができるからである。またこれによると、作業者は、先ず、襟５ｃ（図１Ａ参照）の片側を一方の襟押さえ７で固定し、次に、襟５ｃの他方側を他方の襟押さえ７で固定でき、熟練を要することなく、段階を追って確実且つ綺麗に整然と襟５ｃを押えることができるからである。
【００１５】
また本発明は、図８等に示されるように、アーム１を二つ折りしたとき、アーム１が突き当たるのを防止する凸状のストッパー１０が中央部２に設けられているのが好ましい（請求項３）。
【００１６】
なぜならこれによると、例えば手指をアーム１の間に入れてアーム１の突き当たりを防止しなくても、アーム１をV字状に簡単に二つ折りでき、従って、袖５ｂにアーム１を楽に挿し込むことができるからである。
なお、この本発明の場合、アーム１の開き角度、換言すると、ストッパー１０の突き出し寸法（高さ）は、衣服５の首周りの開口の大きさ等により、適宜選定されるので良い。
【発明の効果】
【００１７】
本発明は、このように左右一対のアームが二つ折り状に折り畳み自在に形成されている。
従って、これによれば、衣服の袖にアームを迅速且つ容易に通すことができ、その分、衣服の懸吊作業を簡単化、迅速化できる。
【００１８】
また本発明は、襟を起立状に固定する襟押さえが中央部に設けられている。
従って、これによると、襟で隠される首周りの箇所や襟自体の裏側に、スチームを確実に吹き付けることができる。
【００１９】
また本発明は、手指で襟を持ち上げ、衣服のこの種の箇所にスチームを手作業で吹き付ける作業を一掃できる。
従って、これによれば、作業者がスチームで過って手指を火傷することがない。
【００２０】
また本発明は、左右一対のアームが、衣服の肩部幅を支持する部分と、この部分から下り傾斜状に連ねられている袖支持部分とで形成されている。
従って、本発明の場合は、衣服の袖を身頃の側方に斜めに配置できるから、これによれば、スチームを袖に満遍なく且つ確実に噴霧できる。
【００２１】
それ故、例えば人体型を備えたプレス仕上げ装置でワイシャツ等の衣服を仕上げる前の、自動霧吹き装置への投入に、本発明品を使用すれば、スチームや仕上げ剤を衣服の全体に、均一に且つ確実に噴霧でき、その分、衣服を綺麗にクリーニング仕上げできる。
【図面の簡単な説明】
【００２２】
【図１】本発明のハンガーの好適な一実施形態を示し、Ａは使用状態時の正面図、Ｂは平面図である。
【図２】同上ハンガーの使用状態時の斜視図である。
【図３】同上ハンガーの正面図である。
【図４】同上ハンガーの要部拡大正面図である。
【図５】同上ハンガーの要部拡大背面図である。
【図６】図４のＶＩ−ＶＩ線における要部拡大断面図である。
【図７】同上ハンガーの二つ折り時の正面図である。
【図８】同上ハンガーの二つ折り時の平面図である。
【発明を実施するための形態】
【００２３】
以下、本発明の好適な一実施形態を、添付図面に従って説明する。
本発明は、図１等に示されるように、左右一対のアーム１と、このアーム１の連結箇所である中央部２に設けられているフック３とを備えて形成されている。アーム１は、中央部２に設けられている縦軸４を中心に、二つ折り状に折り畳み自在に形成されている。
【００２４】
上記のアーム１は、ワイシャツ等の衣服５の肩部幅５ａを支持する部分１ａと、この部分１ａから下り傾斜状に連ねられている袖支持部分１ｂとで屈曲状に形成されている。袖支持部分１ｂは、この実施形態では衣服５としての長袖ワイシャツの袖５ｂを支持できるよう、先端部１ｃが袖口に至る長さに形成されている。
【００２５】
またアーム１は、この実施形態ではステンレスの細い棒で形成され、基端部１ｄが金属板状の中央部２に溶接されている。また上記の先端部１ｃは、アーム１を袖５ｂに挿し込むとき、袖５ｂを傷めることなく円滑に挿し込むことができるよう、球体状に形成されている。
【００２６】
なお、この実施形態の本発明は、アーム１を拡げたときの先端部１ｃ同士の間隔Ｄ（図１Ｂ参照）が１３２３（ｍｍ）に、高さH（図３参照）が５６５（ｍｍ）に選定されている。
またこの実施形態の場合、袖支持部分１ｂの傾斜角Ａ（図３参照）は、ワイシャツの袖５ｂ（図１Ａ参照）の、通常の取付角度に合わされている。
【００２７】
またこの実施形態の場合、上記の縦軸４は、図５に示されるように、中央部２の裏面に設けられているヒンジ６の回転軸で実現されている。中央部２は、左右一対の金属板片２ａで形成され、この金属板片２ａが上記のヒンジ６で連結されている。
【００２８】
また本発明は、中央部２に、この中央部２を囲繞するよう起立状に形作られる襟５ｃ（図１Ａ参照）を、中央部２に押し付けて固定する襟押さえ７が設けられている。この襟押さえ７は、この実施形態では左右一対の板バネで形成されている。この板バネは、襟５ｃを中央部２の前面に、板バネの復元力で押し付けて固定できるよう、中央部２の前側に垂下状に設けられている。
【００２９】
８ａ〜８ｄ（図４参照）は、襟押さえ７を形成する板バネの上端を中央部２に固定するためのネジである。板バネの下端は、中央部２の前方に上向き傾斜状に突き出され、襟５ｃを挟み込み易く形成されている。
【００３０】
またこの実施形態の本発明品は、アーム１が１８０度開いた姿勢を固定できるよう、中央部２に、ロック部材９（図４等参照）が設けられている。このロック部材９は、図６に示されるように、断面鉤形に形成され、上側の一方のネジ８ａで上下方向に回動可能に設けられている。
【００３１】
またロック部材９は、図４に示されるように、その開放端側の下縁に、ネジ８ｂの軸に嵌合する凹み９ａが形成されている。この凹み９ａがネジ８ｂの軸に嵌合すると、左右一対の金属板片２ａが面一化し、アーム１が開いた状態にロックされる。
なお、ロック部材９の天板部９ｂは、ロック部材９の操作箇所として使用される。
【００３２】
またこの実施形態の本発明は、図６、図８に示されるように、中央部２の裏側に、アーム１を二つ折りしたとき、アーム１が突き当たるのを防止する凸状のストッパー１０が設けられている。このストッパー１０は、この実施形態では衝撃を緩和できるよう弾性材としてのゴム材で形成され、止めネジ１１でヒンジ６の一方の取付板を介して一方の金属板片２ａに固定されている。
【００３３】
次に、この実施形態の本発明の作用を説明する。
先ず、作業者（使用者）は、図１の状態からロック部材９を上方に回してロック状態を解除し、次に、アーム１を二つ折りする。この場合、アーム１は、図８に示されるように、ストッパー１０の働きで背面が当接することなく、所定の間隔をあけてV字状に形作られる。
【００３４】
次に、作業者は、図２に示されるように、衣服５としての長袖ワイシャツの袖５ｂにアーム１を挿し込む。この場合、アーム１の先端部１ｃが、袖口に至るまで深く挿し込む。
【００３５】
次に、作業者は、アーム１を１８０度拡げ、ロック部材９を下方に回してアーム１をロックする。これにより、アーム１は、１８０度左右に開いた状態で固定される。
【００３６】
次に、作業者は、衣服５としての長袖ワイシャツの形態を軽く整えてから、一方の襟押さえ７で片方の襟５ｃを中央部２の前面に挟み込む。また同様に、他方の襟押さえ７で他方の襟５ｃを固定する。
【００３７】
これにより、図１に示されるように、長袖ワイシャツは襟５ｃが中央部２に、しっかりと起立状に固定される。また長袖ワイシャツの袖５ｂは、アーム１の袖支持部分１ｂにより、身頃の側方に下り傾斜状に配置される。従って、作業者は、この状態で例えば自動霧吹き装置へ衣服５を投入する。
なお、衣服５を本考案品から取り外すときは、上例と逆に操作して行えば良い。
【００３８】
以上の処において、本発明の場合、アーム１は、通常、長袖を支持できるように長く形成されているのが好ましいが、これには限られず、半袖を支持できる長さに形成されているのでも良い。
【００３９】
また本発明の場合、襟押さえ７は、板バネで形成される場合には限られず、その構造は任意である。即ち、襟押さえ７は、例えばコイルバネの復元力で中央部２を押圧するパッド等で形成されているのでも良い。
【００４０】
また本発明の場合、上記のストッパー１０は、金属板片２ａの両方に、対向状に設けられているのでも良い。また本発明は、ストッパー１０の形成位置に関しても、中央部２に設けられる場合には限られず、その他、例えばアーム１の基端部１ｄの適宜位置に設けられるのでも良い。
【符号の説明】
【００４１】
１      アーム
１ａ    衣服の肩部幅を支持する部分
１ｂ    袖支持部分
２      中央部
３      フック
４      縦軸
５      衣服
５ａ    肩部幅
５ｂ    袖
５ｃ    襟
７      襟押さえ
【図１】
2018015096.tif 000003
【図２】
2018015096.tif 000004
【図３】
2018015096.tif 000005
【図４】
2018015096.tif 000006
【図５】
2018015096.tif 000007
【図６】
2018015096.tif 000008
【図７】
2018015096.tif 000009
【図８】
2018015096.tif 000010